(57)【要約】【課題】回転ブラシを設計位置に正しい姿勢で保持することができる電気掃除機の吸込口体を提供する。【解決手段】吸込口体１０は、底面に吸込口１６を有する本体筐体１１と、吸込口１６に設けられた回転ブラシ１７と、回転ブラシ１７を駆動するモータ１８を備える。回転ブラシ１７は、外面よりブラシ毛４１が突出する円筒形のブラシ台４２と、ブラシ台４２の両端に嵌合固定されてブラシ台組立体４０を形成するエンドブラケット４３Ｌ、４３Ｒと、ブラシ台組立体４０の中心を貫通するシャフト４４と、エンドブラケット４３Ｌ、４３Ｒとシャフト４４の間に介在してブラシ台組立体４０とシャフト４４を相対回転自在に連結する軸受４５Ｌ、４５Ｒと、シャフト４４の両端に固定されたシャフトホルダ４６Ｌ、４６Ｒを含む。【選択図】図１１
2013094540.tif 000002
【特許請求の範囲】
【請求項１】
底面に吸込口を有する本体筐体と、前記吸込口に設けられた回転ブラシと、前記回転ブラシを駆動する動力源とを備えた電気掃除機の吸込口体において、
前記回転ブラシは、
外面よりブラシ毛が突出する円筒形のブラシ台と、
前記ブラシ台の両端に嵌合固定されてブラシ台組立体を形成する２個のエンドブラケットと、
前記ブラシ台組立体の中心を貫通するシャフトと、
前記エンドブラケットと前記シャフトの間に介在して前記ブラシ台組立体と前記シャフトを相対回転自在に連結する軸受と、
前記シャフトの両端に固定された２個のシャフトホルダを含み、
前記本体筐体には、
前記シャフトホルダを受け入れて固定するホルダ受部が形成されている、
ことを特徴とする電気掃除機の吸込口体。
【請求項２】
前記軸受は前記エンドブラケットに固定され、前記シャフトホルダは前記シャフトに固定されることを特徴とする請求項１に記載の電気掃除機の吸込口体。
【請求項３】
前記シャフトには、前記軸受の端面に当たって当該シャフトの前記軸受に対する軸線方向相対移動を阻止するストッパが取り付けられていることを特徴とする請求項１または２に記載の電気掃除機の吸込口体。
【請求項４】
前記エンドブラケット及びそれと同じ側に位置する前記シャフトホルダは一方が他方を囲む関係にあり、その箇所で両者は狭い間隔を隔てて対峙することを特徴とする請求項１から３のいずれかに記載の電気掃除機の吸込口体。
【請求項５】
前記エンドブラケットの一方には、前記動力源に連結する動力被伝達部が形成されていることを特徴とする請求項１から４のいずれかに記載の電気掃除機の吸込口体。
【発明の詳細な説明】
【技術分野】
【０００１】
本発明は電気掃除機の吸込口体に関する。
【背景技術】
【０００２】
電気掃除機の吸込口体には吸込口に回転ブラシを設けたものが多い。回転ブラシはモータや風力タービンのような動力源によって回転せしめられ、床面やカーペットから塵埃をかき上げる。このような吸込口体の例を特許文献１、２に見ることができる。
【０００３】
従来用いられた回転ブラシの構造例を図１２に示す。図１２の回転ブラシ１００は、外面よりブラシ毛１０１（仮想線で表す）が突出する円筒形のブラシ台１０２と、ブラシ台１０２の両端に嵌合固定されてブラシ台組立体１０４を構成する２個のエンドブラケット１０３Ｌ、１０３Ｒを備える。エンドブラケット１０３Ｌ、１０３Ｒは合成樹脂の射出成型品であり、各々の中心にはブラシ台１０２の外側に向かって突き出すスタッドシャフト１０５Ｌ、１０５Ｒがインサート成型されている。スタッドシャフト１０５Ｌ、１０５Ｒは鋼鉄製である。
【０００４】
スタッドシャフト１０５Ｌ、１０５Ｒはシャフトホルダ１０６Ｌ、１０６Ｒに保持される軸受１０７Ｌ、１０７Ｒに支持される。シャフトホルダ１０６Ｌ、１０６Ｒの端面を貫通するボルト１０８Ｌ、１０８Ｒがスタッドシャフト１０５Ｌ、１０５Ｒの端面より軸線方向にねじ込まれ、これによりスタッドシャフト１０５Ｌとシャフトホルダ１０６Ｌ、スタッドシャフト１０５Ｒとシャフトホルダ１０６Ｒは互いに分離しないように連結される。
【０００５】
ボルト１０８Ｌ、１０８Ｒはネジ部と頭部の間に頭部よりは細いがネジ部よりは太いネジ無し軸部１０８Ｌａ、１０８Ｒａを有しており、このネジ無し軸部１０８Ｌａ、１０８Ｒａがスペーサとなって、ボルト頭部とスタッドシャフト１０５Ｌ、１０５Ｒの端面との間に一定の隙間が確保される。このため、ボルト１０８Ｌ、１０８Ｒを限界までねじ込んでもシャフトホルダ１０６Ｌ、１０６Ｒはボルト１０８Ｌ、１０８Ｒにより圧迫されず、シャフトホルダ１０６Ｌ、１０６Ｒはスタッドシャフト１０５Ｌ、１０５Ｒに対し回転自在であり続ける。
【０００６】
シャフトホルダ１０６Ｌ、１０６Ｒは図示しない吸込口筐体のホルダ受部にはめ込まれて回転ブラシ１００を支持する。エンドブラケット１０３Ｒには図示しない動力源に連結する動力被伝達部１０９が形成されている。動力源としては図示しないモータが想定されており、動力被伝達部１０９はそのモータに図示しないタイミングベルトで連結されるタイミングプーリとして構成されている。
【先行技術文献】
【特許文献】
【０００７】
【特許文献１】特開平６−５４７８０号公報
【特許文献２】特開２０１０−２７３８７２号公報
【発明の概要】
【発明が解決しようとする課題】
【０００８】
図１２に示した従来構造の回転ブラシは、ブラシ台の両端にエンドブラケットを固定し、各々のエンドブラケットからスタッドシャフトを突出させてた構造であり、組立の際スタッドシャフトの軸線同士を一直線上に整列させることが難しかった。このため、スタッドシャフトが設計位置に対して偏心したり、設計角度に対して傾きを生じたりすることがしばしばあった。このようにスタッドシャフトが偏心していたり、傾いていたりすると、回転ブラシも設計位置に対し偏心したり、傾いたりすることになる。そのような回転ブラシは回転するときに振れを生じ、騒音や振動を発生させる。
【０００９】
本発明は上記の点に鑑みなされたものであり、回転ブラシを設計位置に正しい姿勢で保持することができる電気掃除機の吸込口体を提供することを目的とする。
【課題を解決するための手段】
【００１０】
上記目的を達成するために、本発明は、底面に吸込口を有する本体筐体と、前記吸込口に設けられた回転ブラシと、前記回転ブラシを駆動する動力源とを備えた電気掃除機の吸込口体において、前記回転ブラシは、外面よりブラシ毛が突出する円筒形のブラシ台と、前記ブラシ台の両端に嵌合固定されてブラシ台組立体を形成する２個のエンドブラケットと、前記ブラシ台組立体の中心を貫通するシャフトと、前記エンドブラケットと前記シャフトの間に介在して前記ブラシ台組立体と前記シャフトを相対回転自在に連結する軸受と、前記シャフトの両端に固定された２個のシャフトホルダを含み、前記本体筐体には、前記シャフトホルダを受け入れて固定するホルダ受部が形成されていることを特徴としている。
【００１１】
上記構成の電気掃除機の吸込口体において、前記軸受は前記エンドブラケットに固定され、前記シャフトホルダは前記シャフトに固定されることが好ましい。
【００１２】
上記構成の電気掃除機の吸込口体において、前記シャフトには、前記軸受の端面に当たって当該シャフトの前記軸受に対する軸線方向相対移動を阻止するストッパが取り付けられていることが好ましい。
【００１３】
上記構成の電気掃除機の吸込口体において、前記エンドブラケット及びそれと同じ側に位置する前記シャフトホルダは一方が他方を囲む関係にあり、その箇所で両者は狭い間隔を隔てて対峙することが好ましい。
【００１４】
上記構成の電気掃除機の吸込口体において、前記エンドブラケットの一方には、前記動力源に連結する動力被伝達部が形成されていることが好ましい。
【発明の効果】
【００１５】
本発明によると、ブラシ台とその両端に固定されたエンドブラケットを含むブラシ台組立体の中心にシャフトを通し、シャフトとエンドブラケットの間に軸受を介在させてブラシ台組立体をシャフトに対し回転自在とし、そのシャフトをシャフトホルダで本体筐体に固定したものであるから、ブラシ台組立体の左右でシャフトの軸線がずれたり、傾いたりするといったことがなく、ブラシ台組立体を設計上の正しい位置に取り付けることができる。これにより、回転ブラシが回転する時の振れが少なくなり、騒音や振動を抑制することができる。
【図面の簡単な説明】
【００１６】
【図１】電気掃除機の全体構造を説明する概略図である。
【図２】吸込口体の斜視図である。
【図３】吸込口体の上面図である。
【図４】吸込口体の側面図である。
【図５】吸込口体の正面図である。
【図６】図５のＡ−Ａ線に沿って切断した吸込口体の断面図である。
【図７】図５のＢ−Ｂ線に沿って切断した吸込口体の断面図である。
【図８】吸込口体の膨張室に配置される吸音材の上面図である。
【図９】吸込口体の底面図である。
【図１０】図９と同様の吸込口体の底面図にして、回転ブラシを除去した状態で示すものである。
【図１１】本発明に係る回転ブラシの断面図である。
【図１２】従来の回転ブラシの断面図である。
【発明を実施するための形態】
【００１７】
図１において、電気掃除機本体１は１個のキャスター式前輪２と２個の後輪３により三点支持され、内部には電動送風機４と集塵装置５が設けられている。集塵装置５は、サイクロン式塵埃分離システムであってもよく、袋状のフィルタであってもよい。電気掃除機本体１の前面には集塵装置５に連通する可撓性のホース６が接続される。ホース６の先端には操作部７を有するハンドル部８が設けられ、ハンドル部８には延長パイプ９が接続され、延長パイプ９の先端に吸込口体１０が接続されている。
【００１８】
電気掃除機本体１に内蔵された図示しないコードリールから図示しないコードを引き出し、図示しない電源コンセントに接続すると、電気掃除機本体１は稼働可能な状態となる。ハンドル部８を握った使用者がホース６を引くことにより、電気掃除機本体１は使用者に追随して移動する。使用者が操作部７を操作して電動送風機４を稼働状態にすると、吸込口体１０、延長パイプ９、及びホース６を通じて集塵装置５に気流が流れ込む。気流に含まれる塵埃は集塵装置５に捕集され、塵埃捕集後の気流は電動送風機４を経由して電気掃除機本体１の外部に排出される。
【００１９】
続いて図２から図１０までの図に基づき吸込口体１０の構造を説明する。
【００２０】
吸込口体１０は、正面から見て左右に細長い本体筐体１１と、本体筐体１１を延長パイプ９に接続する役割を担う接続管１２を備える。接続管１２は本体筐体１１の後部中央に連結され、本体筐体１１と接続管１２はＴ字形状をなす。本体筐体１１は複数の部品を組み合わせて構成されている。本体筐体１１の上面にはカバー１３が組み合わせられる。カバー１３は本体筐体１１とほぼ同じ平面形状を有し、本体筐体１１の上面全体を覆う。
【００２１】
接続管１２の前端は導入管１４（図６参照）に連結される。導入管１４は本体筐体１１に固定され、後述する吸込口に連通する。これにより、接続管１２は吸込口に連通することになる。導入管１４の後端には球形の膨らみ１４ａが形成されており、ここに接続管１２の前端が嵌り込んでユニバーサル継手１５を構成する。ユニバーサル継手１５が介在することにより、接続管１２は、本体筐体１１に対する傾きと、軸線回りの角度を、いずれも所定の角度範囲で変えることができる。
【００２２】
本体筐体１１の前部には下方に向かって開口する吸込口１６が形成されている。吸込口１６は本体筐体１１の正面幅方向に延びる。導入管１４は吸込口１６の中央部に開口する。導入管１４は特に下の方の部分が吸込口１６に向かって漏斗状に広がっており、広い範囲から空気を吸い込むようになっている。
【００２３】
吸込口１６の内部には回転ブラシ１７が設けられる。回転ブラシ１７の構造は後で詳細に説明する。回転ブラシ１７は吸込口１６とほぼ同じ正面幅を有し、モータ１８（図７参照）により駆動される。回転ブラシ１７とモータ１８を連結するのは図示しないタイミングベルトである。モータ１８は本体筐体１１内に独立空間として形成されたモータ収納室１９に収納される。接続管１２には延長パイプ９の図示しない給電端子に接続する給電端子２０が設けられており、この給電端子２０を介して電気掃除機本体１よりモータ１８に給電が行われる。
【００２４】
本体筐体１１の下面には、ユニバーサル継手１５の真下にあたる箇所にキャスター２１が設けられている。キャスター２１は床面に接触して吸込口体１０を支え、吸込口体１０に軽快な動きを与える。
【００２５】
本体筐体１１の下面には、キャスター２１よりも前方で、正面から見て左側に偏った位置に、ローラ２２が設けられる。ローラ２２は上下動可能であり、モータ１８に対する安全スイッチ（図示せず）のアクチュエータの役割を果たす。すなわち、吸込口体１０が床の上に置かれた状態ではローラ２２も床に当たり、本体筐体１１の内部に退避する。この状態では安全スイッチが導通状態となり、モータ１８に給電してモータ１８を稼働させることが可能となる。吸込口体１０が床から持ち上げられるに従いローラ２２は本体筐体１１から突出する。ローラ２２が床から離れた状態では、安全スイッチが非導通状態となり、モータ１８への給電が断たれる。従って、身体の一部が接触可能な状態で回転ブラシ１７が回転することがなく、それによる危険が回避される。
【００２６】
図６に示す通り、カバー１３は本体筐体１１に隙間無く貼り付いている訳ではなく、周縁部は本体筐体１１に密着するが、それ以外の箇所では本体筐体１１との間に隙間を生じている。この隙間が膨張室２３となる。膨張室２３は少なくともモータ収納室１９の上部を覆う。実施形態では、本体筐体１１の上面全体にわたって膨張室２３が広がることとされている。モータ収納室１９と膨張室２３は、図示しない複数の小孔を介して連通する。
【００２７】
モータ収納室１９で発生した音波は図示しない小孔を通じて膨張室２３に導入され、膨張室２３内での音波干渉により一定割合が消滅する。これにより外部に漏洩する騒音レベルが低下する。膨張室２３はモータ収納室１９と外部とを隔てる遮音空間としても機能し、騒音低減にさらに貢献する。
【００２８】
図７に示す通り、膨張室２３には吸音材２４が配置される。吸音材２４としては、例えば発泡ウレタンを用いることができる。吸音材２４を配置することにより、膨張室２３に入った音波が吸音材２４に吸収されるので、遮音性能が一層高まる。吸音材２４は膨張室２３の内部のほぼ全域に広がる大きさとしておくのがよい。図８に示す吸音材２４は丁度その大きさとなっている。吸音材２４は図６では図示省略となっている。
【００２９】
モータ収納室１９に対して膨張室２３を設けたのと同様の考えが吸込口１６に対しても適用されている。すなわち吸込口１６は回転ブラシ１７の外周にすれすれで引っ掛からない程度の高さのところに天井１６ａを有し、天井１６ａの上の空間が膨張室２５となる。導入管１４は膨張室２５にも連通する。図７及び図１０に示す通り、天井１６ａには複数の小孔２６が形成され、吸込口１６と膨張室２５は小孔２６を介して連通している。
【００３０】
吸込口１６で生じる騒音としては、モータ１８から回転ブラシ１７に回転力を伝える伝達機構が発する騒音、回転ブラシ１７が床面をたたいたりこすったりする音、回転ブラシ１７の周囲を空気が流れることによる風切り音、などがその主なものとなる。吸込口１６で発生した音波は小孔２６を通じて膨張室２５に導入され、膨張室２５内での音波干渉により一定割合が消滅する。これにより外部に漏洩する騒音レベルが低下する。膨張室２５は吸込口１６と外部とを隔てる遮音空間としても機能し、騒音低減にさらに貢献する。
【００３１】
本体筐体１１のみならず、接続管１２に対しても騒音低減対策が施される。以下それについて説明する。
【００３２】
接続管１２は少なくとも一部の外周部をカバー３０で覆われる。実施形態のカバー３０は左右二つ割りにした部品からなり、左右から接続管１２を挟む構成になっている。二つ割りの部品をネジで結合することにより、接続管１２の長さの半分以上を囲む鞘状のカバー３０が形成される。
【００３３】
図６に示す通り、接続管１２の上下面には、長さ方向に沿って魚の背鰭及び腹鰭状の突起３１、３２が形成されている。突起３１、３２はカバー３０の内面に当たり、接続管１２に対するカバー３０の相対位置を定める役割を果たす。
【００３４】
突起３２はカバー３０の外側に突き出す。突き出した部分は断面逆Ｔ字形のフック３４となっている。電気掃除機本体１の下面には、後面を下にして電気掃除機本体１を立てたときに露出するフック受け（図示せず）が形成されている。電気掃除機本体１を立てておいてフック３４をフック受けに係合させると、接続管１２は軸線を垂直にする形で電気掃除機本体１に保持される。接続管１２に延長パイプ９とホース６が接続されていれば、ホース６から吸込口体１０に至る部品の全てが接続状態のまま電気掃除機本体１と共に保管されることになる。
【００３５】
接続管１２の外側にカバー３０で囲われた空間が膨張室３５となる。接続管１２の内部と膨張室３５は、接続管１２の外周壁に形成された複数の小孔３６を介して連通している。
【００３６】
本体筐体１１の側で発生した騒音は接続管１２の内部に伝わる。その音波は小孔３６を通じて膨張室３５に導入され、膨張室３５内での音波干渉により一定割合が消滅する。これにより外部に漏洩する騒音レベルが低下する。膨張室３５は接続管１２の内部と外部とを隔てる遮音空間としても機能し、騒音低減にさらに貢献する
【００３７】
接続管１２には、カバー３０で覆われる区間の中に、前後の部分に比べて内径の小さい小径部１２ａが形成されている。実施形態では、小孔３６の形成された区間が小径部１２ａとなっている。小径部１２ａの存在により、接続管１２の内部を流れる気流の流速が増加し、吸込口１６における塵埃吸引力を強く保つことができる。小径部１２ａ以外の接続管１２の内径が例えば３４mmであった場合、小径部１２ａの内径としては例えば２７mmと
いった数値が設定される。
【００３８】
膨張室３５には吸音材（図示せず）が配置される。吸音材としては、例えば発泡ウレタンを用いることができる。吸音材を配置することにより、膨張室３５に入った音波が吸音材に吸収されるので、遮音性能が一層高まる。吸音材は膨張室３５の内部のほぼ全域に広がる大きさとしておくのがよい。
【００３９】
カバー３０の前面には複数のスリットで形成される外気取入口３８（図７参照）が形成される。接続管１２の内部を気流が高速で通過すると接続管１２の内部は負圧になり、膨張室３５の内部の空気が接続管１２に引き込まれる。接続管１２に引きまれた分の空気は、外気取入口３８から入ってくる外部空気で補填される。このように外気取入口３８から入って接続管１２の内部へと抜ける空気流が形成されることにより、外部への騒音の漏洩は一層少なくなる。
【００４０】
本実施形態では吸込口体１０の一部をなす接続管１２にカバー３０を取り付けたが、見方を変えれば延長パイプ９も接続管であり、延長パイプ９にカバー３０を取り付けて膨張室３５を構成することも可能である。
【００４１】
回転ブラシ１７の構造を図１１に示す。回転ブラシ１７は、外面よりブラシ毛４１が突出する円筒形のブラシ台４２と、ブラシ台４２の両端に嵌合固定されてブラシ台組立体４０を構成する２個のエンドブラケット４３Ｌ、４３Ｒを備える。エンドブラケット４３Ｌ、４３Ｒは合成樹脂の射出成型品である。
【００４２】
ブラシ台組立体４０の中心を、直線的に延びる鋼鉄製のシャフト４４が貫通する。エンドブラケット４３Ｌ、４３Ｒとシャフト４４の間には軸受４５Ｌ、４５Ｒが介在し、ブラシ台組立体４０とシャフト４４を相対回転自在に連結する。軸受４５Ｌ、４５Ｒはメタルからなる滑り軸受でもよく、ボールベアリングやローラベアリングのような転がり軸受でもよい。
【００４３】
軸受４５Ｌ、４５Ｒはエンドブラケット４３Ｌ、４３Ｒに圧入固定される。仮にエンドブラケット４３Ｌと軸受４５Ｌ、エンドブラケット４３Ｒと軸受４５Ｒが相対回転可能であったとすれば、相対回転時の摩擦熱でエンドブラケット４３Ｌ、４３Ｒが溶けるおそれがあるが、エンドブラケット４３Ｌ、４３Ｒに軸受４５Ｌ、４５Ｒを固定しておけば、そのような懸念は解消される。
【００４４】
シャフト４４の両端にはシャフトホルダ４６Ｌ、４６Ｒが固定される。シャフト４４の端部にスプラインのような凹凸形状を形成しておき、この端部を合成樹脂射出成型品であるシャフトホルダ４６Ｌ、４６Ｒに圧入することにより、シャフト４４とシャフトホルダ４６Ｌ、４６Ｒの固定が達成される。本体筐体１１にはシャフトホルダ４６Ｌ、４６Ｒを受け入れて固定するホルダ受部（図示せず）が形成されている。本体筐体１１とシャフトホルダ４６Ｌ、４６Ｒの固定は、例えばネジを用いて行うことができる。
【００４５】
エンドブラケット４３Ｌ、４３Ｒと軸受４５Ｌ、４５Ｒの関係と同様、シャフトホルダ４６Ｌ、４６Ｒとシャフト４４が相対回転可能であったとすると、相対回転時の摩擦熱でシャフトホルダ４６Ｌ、４６Ｒが溶けるおそれがあるが、シャフト４４にシャフトホルダ４６Ｌ、４６Ｒを固定しておけば、そのような懸念は解消される。
【００４６】
エンドブラケット４３Ｌ及びそれと同じ側に位置するシャフトホルダ４６Ｌは一方が他方を囲む関係にある。実施形態ではシャフトホルダ４６Ｌがエンドブラケット４３Ｌを囲む形になっている。この箇所でエンドブラケット４３Ｌとシャフトホルダ４６Ｌは狭い間隔を隔てて対峙する。エンドブラケット４３Ｒ及びそれと同じ側に位置するシャフトホルダ４６Ｒの関係では、エンドブラケット４３Ｒがシャフトホルダ４６Ｒを包み、この箇所でエンドブラケット４３Ｒとシャフトホルダ４６Ｒは狭い間隔を隔てて対峙する。この構成により軸受４５Ｌ、４５Ｒはシールされ、塵埃で汚されにくくなる。
【００４７】
エンドブラケット４３Ｒは、シャフトホルダ４６Ｒを囲む部分が動力源に連結する動力被伝達部として形成されている。動力被伝達部はモータ１８に図示しないタイミングベルトで連結されるタイミングプーリ４７であり、その内径部にシャフトホルダ４６Ｒを取り込む形になっている。このように、シャフトホルダ４６Ｒを囲むためにはある程度の内径の部分が必要であることを利用して、その部分をタイミングプーリ４７としたので、構成が合理的である。
【００４８】
シャフト４４には、軸受４５Ｌ、４５Ｒの外側の位置に、軸受４５Ｌ、４５Ｒの端面から僅かに離れて環状溝（図示せず）が形成されている。この環状溝に嵌合されたリング状のストッパ４８が軸受４５Ｌ、４５Ｒに当たってスラスト力を受け、軸受４５Ｌ、４５Ｒに対するシャフト４４の軸線方向の相対移動を阻止する。これによりエンドブラケット４３Ｌとシャフトホルダ４６Ｌ、及びエンドブラケット４３Ｒとシャフトホルダ４６Ｒはシャフト４４の軸線方向において一定の位置関係を保つことになる。ストッパ４８としては例えばＥリングを用いることができる。
【００４９】
このように、ブラシ台４２とその両端に固定されたエンドブラケット４３Ｌ、４３Ｒを含むブラシ台組立体４０の中心にシャフト４４を通し、シャフト４４とエンドブラケット４３Ｌ、４３Ｒの間に軸受４５Ｌ、４５Ｒを介在させてブラシ台組立体４０をシャフト４４に対し回転自在とし、そのシャフト４４をシャフトホルダ４６Ｌ、４６Ｒで吸込口体１０の本体筐体１１に固定したものであるから、ブラシ台組立体４０の左右でシャフト４４の軸線がずれたり、傾いたりするといったことがなく、ブラシ台組立体４０を設計上の正しい位置に正しい姿勢で取り付けることができる。これにより、回転ブラシ１７が回転する時の振れが少なくなり、騒音や振動を抑制することができる。
【００５０】
以上、本発明の実施形態につき説明したが、本発明の範囲はこれに限定されるものではなく、発明の主旨を逸脱しない範囲で種々の変更を加えて実施することができる。
【産業上の利用可能性】
【００５１】
本発明は電気掃除機の吸込口体に広く利用可能である。
【符号の説明】
【００５２】
１    電気掃除機本体
４    電動送風機
５    集塵装置
６    ホース
９    延長パイプ
１０  吸込口体
１１  本体筐体
１２  接続管
１６  吸込口
１７  回転ブラシ
１８  モータ
４０  ブラシ台組立体
４１  ブラシ毛
４２  ブラシ台
４３Ｌ、４３Ｒ  エンドブラケット
４４  シャフト
４５Ｌ、４５Ｒ  軸受
４６Ｌ、４６Ｒ  シャフトホルダ
４７  タイミングプーリ（動力被伝達部）
４８  ストッパ
【図１】
2013094540.tif 000003
【図２】
2013094540.tif 000004
【図３】
2013094540.tif 000005
【図４】
2013094540.tif 000006
【図５】
2013094540.tif 000007
【図６】
2013094540.tif 000008
【図７】
2013094540.tif 000009
【図８】
2013094540.tif 000010
【図９】
2013094540.tif 000011
【図１０】
2013094540.tif 000012
【図１１】
2013094540.tif 000013
【図１２】
2013094540.tif 000014